(57)【要約】【課題】隣接する各意匠部が近接する場合でも、各意匠部を独立または異色照明することが可能な照明装置を提供する。【解決手段】互いに隣接する第１の意匠部１４３ａと第２の意匠部１４３ｂとを、第１，第２の照明室Ｒ１，Ｒ２内に配置された各光源３，４を通じて異なる色で透過照明する計器（照明装置）において、第１の照明室Ｒ１の第１の開口部２２に第１の偏光板（偏光膜）６を設け、第２の照明室Ｒ２の第２の開口部２３に第１の偏光板６とは偏光方向が異なる第２の偏光板（偏光膜）７を設け、第１の偏光板６と第１の意匠部１４３ａとの間に第１の偏光板６と偏光方向が等しい第３の偏光板（偏光膜）８を設け、第２の偏光板７と第２の意匠部１４３ｂとの間に第２の偏光板７と偏光方向が等しい第４の偏光板（偏光膜）９を設け、第１の偏光板６と第３の偏光板８との間、及び第２の偏光板７と第４の偏光板９との間に互いに連通する空間部Ｓを設けた。【選択図】図２
2008083265.tif 000002
【特許請求の範囲】
【請求項１】
互いに隣接する第１の意匠部と第２の意匠部とを備える表示パネルと、この表示パネルの背後に配置され前記第１の意匠部に対応する第１の照明室と前記第２の意匠部に対応する第２の照明室とを区画する仕切り部材と、前記第１の照明室内に配置され前記第１の意匠部を透過照明する第１の光源と、前記第２の照明室内に配置され前記第２の意匠部を透過照明する第２の光源と、を備えた照明装置において、前記第１の光源と前記第２の光源は、前記第１，第２の各意匠部を独立して透過照明できるように構成され、前記第１の照明室の前記表示パネル側に位置する第１の開口部を覆うように第１の偏光膜を設け、前記第２の照明室の前記表示パネル側に位置する第２の開口部を覆うように前記第１の偏光膜とは偏光方向が異なる第２の偏光膜を設け、前記第１の偏光膜と前記第１の意匠部との間に前記第１の偏光膜と偏光方向が等しい第３の偏光膜を設け、前記第２の偏光膜と前記第２の意匠部との間に前記第２の偏光膜と偏光方向が等しい第４の偏光膜を設け、前記第１の偏光膜と前記第３の偏光膜との間、及び前記第２の偏光膜と第４の各偏光膜との間に互いに連通する空間部を設けたことを特徴とする照明装置。
【請求項２】
互いに隣接する第１の意匠部と第２の意匠部とを備える表示パネルと、この表示パネルの背後に配置され前記第１の意匠部に対応する第１の照明室と前記第２の意匠部に対応する第２の照明室とを区画する仕切り部材と、前記第１の照明室内に配置され前記第１の意匠部を透過照明する第１の光源と、前記第２の照明室内に配置され前記第２の意匠部を透過照明する第２の光源と、を備えた照明装置において、前記第１の光源と前記第２の光源は、前記第１，第２の各意匠部を異なる色で透過照明できるように互いに発光色が異なる光源を含み、前記第１の照明室の前記表示パネル側に位置する第１の開口部を覆うように第１の偏光膜を設け、前記第２の照明室の前記表示パネル側に位置する第２の開口部を覆うように前記第１の偏光膜とは偏光方向が異なる第２の偏光膜を設け、前記第１の偏光膜と前記第１の意匠部との間に前記第１の偏光膜と偏光方向が等しい第３の偏光膜を設け、前記第２の偏光膜と前記第２の意匠部との間に前記第２の偏光膜と偏光方向が等しい第４の偏光膜を設け、前記第１の偏光膜と前記第３の偏光膜との間、及び前記第２の偏光膜と第４の各偏光膜との間に互いに連通する空間部を設けたことを特徴とする照明装置。
【請求項３】
前記第１，第３の偏光膜の偏光方向と前記第２，第４の偏光膜の偏光方向とが９０度で交わることを特徴とする請求項１または請求項２記載の照明装置。
【発明の詳細な説明】
【技術分野】
【０００１】
本発明は、例えば自動車、オートバイ、船舶をはじめとする移動体の計器に組み込まれる照明装置に関し、近接する意匠部を異なる色で照明するのに好適な照明装置に関する。
【背景技術】
【０００２】
この種の照明装置として、例えば下記特許文献１に記載されているものが知られている。この照明装置は、互いに隣接する第１の意匠部（警報報知用インジケータマークからなる）と第２の意匠部（同じく警報報知用インジケータマークからなる）とを備える表示パネルと、この表示パネルの背後に配置され第１の意匠部対応する第１の照明室と前記第２の意匠部に対応する第２の照明室とを区画する仕切り部材と、第１の照明室内に配置され第１の意匠部を透過照明する第１の光源と、第２の照明室内に配置され第２の意匠部を透過照明する第２の光源とを備えており、第１の光源が点灯すると、第１の意匠部が透過照明され、第２の光源が点灯すると、第２の意匠部が透過照明されるようになっている。この際、各意匠部に対応する照明室の各々は仕切り壁によって区画されるため、例えば何れか一方の光源が点灯し対応する意匠部が発光表示されているときに、点灯している光源の光が隣接する意匠部を照らさないようになっている。
【特許文献１】特開２００５−４３２１５号公報
【発明の開示】
【発明が解決しようとする課題】
【０００３】
しかしながら、特許文献１記載の照明装置は、各意匠部に対応する照明室の各々を仕切り壁によって区画する構成であるため、光源の点灯時に仕切り壁が障害物となって影が形成されないよう隣接する各意匠部を充分に離間させる必要がある。このため、複数の意匠部を複数の光源で照明するにあたり、隣接する意匠部どうしが近接する場合には対応できないという問題があった。またこのような問題は、互いに近接する意匠部を異なる色で照明する場合にも生じる。
【０００４】
本発明は、この点に鑑みてなされたもので、その主な目的は、隣接する各意匠部が近接する場合でも、各意匠部を独立または異色照明することが可能な照明装置を提供するものである。
【課題を解決するための手段】
【０００５】
本発明は、前記目的を達成するため、互いに隣接する第１の意匠部と第２の意匠部とを備える表示パネルと、この表示パネルの背後に配置され前記第１の意匠部に対応する第１の照明室と前記第２の意匠部に対応する第２の照明室とを区画する仕切り部材と、前記第１の照明室内に配置され前記第１の意匠部を透過照明する第１の光源と、前記第２の照明室内に配置され前記第２の意匠部を透過照明する第２の光源と、を備えた照明装置において、前記第１の光源と前記第２の光源は、前記第１，第２の各意匠部を独立して透過照明できるように構成され、前記第１の照明室の前記表示パネル側に位置する第１の開口部を覆うように第１の偏光膜を設け、前記第２の照明室の前記表示パネル側に位置する第２の開口部を覆うように前記第１の偏光膜とは偏光方向が異なる第２の偏光膜を設け、前記第１の偏光膜と前記第１の意匠部との間に前記第１の偏光膜と偏光方向が等しい第３の偏光膜を設け、前記第２の偏光膜と前記第２の意匠部との間に前記第２の偏光膜と偏光方向が等しい第４の偏光膜を設け、前記第１の偏光膜と前記第３の偏光膜との間、及び前記第２の偏光膜と第４の各偏光膜との間に互いに連通する空間部を設けたことを特徴とする。
【０００６】
また本発明は、前記目的を達成するため、互いに隣接する第１の意匠部と第２の意匠部とを備える表示パネルと、この表示パネルの背後に配置され前記第１の意匠部に対応する第１の照明室と前記第２の意匠部に対応する第２の照明室とを区画する仕切り部材と、前記第１の照明室内に配置され前記第１の意匠部を透過照明する第１の光源と、前記第２の照明室内に配置され前記第２の意匠部を透過照明する第２の光源と、を備えた照明装置において、前記第１の光源と前記第２の光源は、前記第１，第２の各意匠部を異なる色で透過照明できるように互いに発光色が異なる光源を含み、前記第１の照明室の前記表示パネル側に位置する第１の開口部を覆うように第１の偏光膜を設け、前記第２の照明室の前記表示パネル側に位置する第２の開口部を覆うように前記第１の偏光膜とは偏光方向が異なる第２の偏光膜を設け、前記第１の偏光膜と前記第１の意匠部との間に前記第１の偏光膜と偏光方向が等しい第３の偏光膜を設け、前記第２の偏光膜と前記第２の意匠部との間に前記第２の偏光膜と偏光方向が等しい第４の偏光膜を設け、前記第１の偏光膜と前記第３の偏光膜との間、及び前記第２の偏光膜と第４の各偏光膜との間に互いに連通する空間部を設けたことを特徴とする。
【０００７】
前記第１，第３の偏光膜の偏光方向と前記第２，第４の偏光膜の偏光方向とが９０度で交わることを特徴とする。
【発明の効果】
【０００８】
本発明によれば、初期の目的を達成でき、隣接する各意匠部が近接する場合でも、各意匠部を独立または異色照明することが可能な照明装置を提供することができる。
【発明を実施するための最良の形態】
【０００９】
図１から図２は、本発明の一実施形態を示すもので、図１は本発明による照明装置を適用した計器の正面図、図２は図１のＡ−Ａ断面図である。
【００１０】
本実施形態による計器は、例えば自動車のダッシュボードに搭載されるコンビネーションメータの一部を構成するもので、図１，図２に示すように、表示パネル１と、この表示パネルの背後に配置される仕切り部材２と、第１，第２の光源３，４と、これら第１，第２の光源３，４が実装される回路基板５と、第１〜第４の偏光板（偏光膜）６〜９を備えている。
【００１１】
表示パネル１は、例えば透明な合成樹脂からなる基板１１と、この基板１１の板面にベタ印刷された例えば半透過性の表示色層１２（例えば白色）と、この表示色層１２の表面に後述する意匠部となる箇所を除いてベタ印刷された遮光性の背景層１３と、背景層１２の無い箇所にて形成される意匠部１４とを有している。
【００１２】
意匠部１４は、図１にて詳しく示すように、図示省略した指針の回動軌道に沿うように円弧状の配列形状を有して複数設けられる目盛及び数字からなる指標部１４１と、「×１０００ｒｐｍ」からなり指標部１４１の単位を表す単位表示部１４２と、「ｍｏｄｅＳ」からなり車両の運転モードを示すモード表示部１４３とから構成されている。
【００１３】
モード表示部１４３は、この場合、互いに隣接する「ｍｏｄｅ」なる第１の意匠部１４３ａと、「Ｓ」なる第２の意匠部１４３ｂとで構成され、これら第１，第２の意匠部１４３ａ，１４３ｂとでスポーツ（「Ｓ」）モード（「ｍｏｄｅ」）を意味するものである。
【００１４】
仕切り部材２は、例えば白色の合成樹脂からなり、表示パネル１と回路基板５との間に配置されている。この仕切り部材２は、複数の区画壁２１を有し、この区画壁２１によってモード表示部１４３に対応する箇所には、第１の意匠部１４３ａに対応する第１の照明室Ｒ１と第２の意匠部１４３ｂに対応する第２の照明室Ｒ２とが形成されている。
【００１５】
各照明室Ｒ１，Ｒ２は、断面形状が回路基板５から表示パネル１に向かって徐々に幅広になるよう形成され、それらの内部には第１，第２の意匠部１４３ａ，１４３ｂのそれぞれを独立して照明可能な第１，第２の光源３，４が収容され、また各照明室Ｒ１，Ｒ２の表示パネル１側にそれぞれ形成される第１，第２の開口部２２，２３には、第１，第２の偏光板６，７が第１，第２の開口部２２，２３を完全に塞ぐように配置されている。
【００１６】
またこれら各照明室Ｒ１，Ｒ２を形成する区画壁２１の一部は第１，第２の開口部２２，２３を超えて表示パネル１の背後に延び、これにより、第１，第３の偏光板６，８と第２，第４の偏光板７，９との間には、互いに連通する空間部Ｓが設けられている。
【００１７】
なお、図２ではモード表示部１４３を中心とする構造のみが示されているが、その周辺領域も同様に他の光源と照明室とが形成され、この照明室により、残りの意匠部１４（指標部１４１，単位表示部１４２）が照明されるようになっている。
【００１８】
第１の光源３は、例えば白色ＬＥＤからなり、第１の照明室Ｒ１内に配置され第１の意匠部１４３ａを例えば白色に透過照明する。
【００１９】
第２の光源４は、例えば白色ＬＥＤと赤色ＬＥＤからなり、第２の照明室Ｒ２内に配置され第２の意匠部１４３ｂを白または赤色に切り替えて透過照明する。
【００２０】
このように第１，第２の光源３，４は、第１，第２の各意匠部１４３ａ，１４３ｂを異なる色で透過照明できるように互いに発光色が異なる光源（白色ＬＥＤと赤色ＬＥＤ）を含んでいる。
【００２１】
第１の偏光板６は、第１の照明室Ｒ１に設けた第１の開口部２２を完全に被覆するように設けられ、第１の光源３からの光のうち、第１の方向Ａに振動している光だけを透過する直線偏光板からなる。従って第１の偏光板６を透過した光は、偏光方向あるいは偏光軸が第１の方向Ａとなるものである。
【００２２】
第２の偏光板７は、第２の照明室Ｒ２に設けた第２の開口部２３を完全に被覆するように設けられ、第２の光源４からの光のうち、第１の方向Ａとは直交する第２の方向Ｂに振動している光だけを透過する直線偏光板からなる。従って第２の偏光板７を透過した光は、偏光方向あるいは偏光軸が第１の方向Ｂとなるものである。なおこの第２の偏光板７は、第１の偏光板６との接合部に隙間ができないように第１の偏光板６の端部に接合配置されている。
【００２３】
第３の偏光板８は、第１の偏光板６と第１の意匠部１４３ａとの間であって表示パネル１の背後に、第１の偏光板６とは空間部Ｓを隔てて離間した位置に配置されている。この第３の偏光板８は、第１の偏光板６と同じ偏光板が適用され、その偏光方向あるいは偏光軸は第１の偏光板６と同じ（平行な）第１の方向Ａとなる。従って第３の偏光板８は、第１の偏光板６を透過した光を第１の意匠部１４３ａ側に透過するが、後述するように偏光方向が直交する第２の偏光板７を透過した光は透過しないようになっている。
【００２４】
第４の偏光板９は、第２の偏光板７と第２の意匠部１４３ｂとの間であって表示パネル１の背後に、第２の偏光板７とは空間部Ｓを隔てて離間した位置に配置されている。この第４の偏光板９は、第２の偏光板７と同じ偏光板が適用され、その偏光方向あるいは偏光軸は第２の偏光板７と同じ（平行な）第２の方向Ｂとなる。従って第４の偏光板９は、第２の偏光板７を透過した光を第２の意匠部１４３ｂ側に透過するが、偏光方向が直交する第１の偏光板６を透過した光は透過しないようになっている。なお第３，第４の偏光板８，９は、それらの接合部に隙間ができないように各端部が接合配置され、第３，第４の偏光板８，９どうしの接合位置と、第１，第２偏光板６，７どうしの接合位置とは、これら偏光板６〜９の板厚方向において一致するようになっている。
【００２５】
以上のように構成される計器（照明装置）において、光源３が点灯すると、その光は偏光方向の等しい第１，第３の偏光板６，８を透過して第１の意匠部１４３ａを透過照明する。この際、第２の偏光板７を透過した光は、第３の偏光板８とは偏光方向が異なるのでブロックされ、この結果、第１の意匠部１４３ａが白色に照明される。
【００２６】
一方、光源４が点灯すると、その光は偏光方向の等しい第２，第４の偏光板７，９を透過して第２の意匠部１４３ｂを透過照明する。この際、第１の偏光板６を透過した光は、第４の偏光板９とは偏光方向が異なるのでブロックされ、第１の意匠部１４３ｂが白色または赤色に照明される。従って、第１，第２の意匠部１４３ａ，１４３ｂの直下に区画壁２１が存在しなくても、赤色ＬＥＤからなる光源４が点灯した場合には、その赤色光は第２の方向Ｂに偏光されるので、第３の偏光板８を透過できず、この結果、第１の意匠部１４３ａの照明色への影響を抑えながら、第２の意匠部１４３ｂを赤色に照明することができる。なお第４の光源４の色切り替えは、運転モードの切り換えに連動するようになっており、運転モードがスポーツ（「Ｓ」）モード（「ｍｏｄｅ」）でないときは第１，第２の意匠部１４３ａ，１４３ｂは共に白色の光源にて照明され（ポジション表示され）、運転モードがスポーツモードの際には、第１の意匠部１４３ａが白色の光源で、第２の意匠部１４３ｂが赤色の光源せ照明され、運転モードがスポーツモードであることを知らせるようになっている。
【００２７】
以上の通り、本実施形態によれば、互いに隣接する第１の意匠部１４３ａと第２の意匠部１４３ｂとを備える表示パネル１と、この表示パネル１の背後に配置され第１の意匠部１４３ａに対応する第１の照明室Ｒ１と第２の意匠部１４３ｂに対応する第２の照明室Ｒ２とを区画する仕切り部材２と、第１の照明室Ｒ内に配置され第１の意匠部１４３ａを透過照明する第１の光源３と、第２の照明室Ｒ２内に配置され第２の意匠部１４３ｂを透過照明する第２の光源４と、を備えた計器（照明装置）において、第１の光源３と第２の光源４は、第１，第２の各意匠部１４３ａ，１４３ｂを異なる色で透過照明できるように互いに発光色が異なる光源を含んでおり、第１の照明室Ｒ１の第１の開口部２２を覆うように第１の偏光板（偏光膜）６を設け、第２の照明室Ｒ２の第２の開口部２３を覆うように第１の偏光板６とは偏光方向が異なる第２の偏光板（偏光膜）７を設け、第１の偏光板６と第１の意匠部１４３ａとの間に第１の偏光板６と偏光方向が等しい第３の偏光板（偏光膜）８を設け、第２の偏光板７と第２の意匠部１４３ｂとの間に第２の偏光板７と偏光方向が等しい第４の偏光板（偏光膜）９を設け、第１の偏光板６と第３の偏光板８との間、及び第２の偏光板７と第４の偏光板９との間に互いに連通する空間部Ｓを設けたことにより、第１，第２の意匠部１４３ａ，１４３ｂを異なる色の光源で照明する場合に、第１，第２の意匠部１４３ａ，１４３ｂの直下に区画壁２１が存在しなくても、第１，第２の意匠部１４３ａ，１４３ｂを異なる色で照明でき、隣接する各意匠部１４３ａ，１４３ｂが近接する場合でも、各意匠部１４３ａ，１４３ｂを異色照明することが可能となる。
【００２８】
また本実施形態では、第１，第３の偏光板６，８の偏光方向（第１の方向Ａ）と第２，第４の偏光板７，９の偏光方向（第２の方向Ｂ）とが実質的に９０度で交わるように構成したことにより、偏光方向に応じた光の透過、遮断作用をより確実なものとすることができる。
【００２９】
なお本実施形態では、第１の光源３を単一色の光源とし、第２の光源４を複数色発光可能な光源としたが、第１の光源３を複数色発光可能な光源に設定してもよい。
【００３０】
また本実施形態では、互いに隣接する意匠部１４として、第１の意匠部１４３ａと第２の意匠部１４３ｂを第１〜第４の偏光板６〜９を介して照明する例を示したが、照明対象は隣接（近接）する意匠部であれば任意であり、例えば指標部１４１やレッドゾーンのような特定領域の何れか一方、または両方を第１〜第４の偏光板６〜９を介して照明してもよい。
【００３１】
また本実施形態では、第１の光源３と第２の光源４が、第１，第２の各意匠部１４３ａ，１４３ｂを異なる色で透過照明できるように互いに発光色が異なる光源を含む例を示したが、第１の光源３及び第２の光源４をそれそれ単一の光源とし、これら単一光源を選択的に点消灯させることにより、第１，第２の各意匠部１４３ａ，１４３ｂを独立して照明表示するようにしてもよい。この場合、第１〜第４の偏光板６〜９は、第１，第２の各意匠部１４３ａ，１４３ｂのうちの一方を照明表示する際、照明表示される方の意匠部１４３ａ，１４３ｂに向かう光を透過し、照明表示されない方の意匠部１４３ａ，１４３ｂに向かう光を遮断するように機能し、照明表示されない方の意匠部１４３ａ，１４３ｂが照明表示される方の意匠部１４３ａ，１４３ｂに向かう光によって疑似点灯するのを抑制し、隣接する各意匠部１４３ａ，１４３ｂが近接する場合でも、各意匠部１４３ａ，１４３ｂを独立して照明することができる。
【図面の簡単な説明】
【００３２】
【図１】本発明による照明装置を適用した計器の正面図。
【図２】図１のＡ−Ａ断面図。
【符号の説明】
【００３３】
１  表示パネル
２  仕切り部材
３，４  第１，第２の光源
５  回路基板
６〜９  第１〜第４の偏光板（偏光膜）
１１  基板
１２  表示色層
１３  背景層
１４  意匠部
１４１  指標部
１４２  単位表示部
１４３  モード表示部
１４３ａ  第１の意匠部
１４３ｂ  第２の意匠部
２１  区画壁
２２，２３  第１，第２の開口部
Ｒ１，Ｒ２  第１，第２の照明室
Ｓ  空間部
【図１】
2008083265.tif 000003
【図２】
2008083265.tif 000004